Podtech/llm-jp-corpus-v4-ja_patent huggingface dataset:
【手続補正書】
【提出日】平成24年8月30日(2012.8.30)
【手続補正１】
【補正対象書類名】明細書
【補正対象項目名】００２２
【補正方法】変更
【補正の内容】
【００２２】
従って、特に固体酸化物形燃料電池のための圧縮配置が提供されるが、前述したようにこれはその他の公知の燃料電池型に対する圧縮配置も潜在的に提供される。以下では、燃料電池スタックは、主に、酸化ガス及び燃料ガスを供給されると電気及び熱を発生する黒色ボックスと見なされる。燃料電池スタックの機能及び内部構成要素は公知技術と考えられ、本発明の主題ではない。
【手続補正２】
【補正対象書類名】明細書
【補正対象項目名】００２４
【補正方法】変更
【補正の内容】
【００２４】
シール領域の圧縮を、電気化学活性領域の圧縮から分けるために、燃料電池スタックには開口部を有する枠部が施用され、その際、該枠部がシール領域を実質的に覆い、そしてその開口部は活性領域を実質的に覆う。”実質的に”とは、枠部が、シール領域と全く同じ寸法である必要がなく、更には比較的高い圧縮力を及ぼす枠部が実用上の理由のため、電気化学活性領域のいくつかの部分を覆うように選択できるものと理解される。
【手続補正３】
【補正対象書類名】明細書
【補正対象項目名】００３３
【補正方法】変更
【補正の内容】
【００３３】
本発明の特徴
１．  複数のセルからなる燃料電池スタック又は電解質セルスタックのための圧縮配置であって、該セルスタックは、
・  それぞれがシール領域及び電気化学的活性領域を有する、複数のスタックされたセル・  底部プレート
・  頂部プレート
・  少なくとも一つの弾性プレート
・  中央開口部を有する少なくとも一つの枠部
・  該セルのガスインレット側と流体的に連通している少なくとも一つのガスインレットチャンネル
・  該セルのガスアウトレット側と流体的に連通している少なくとも一つのガスアウトレットチャンネル
を含み、
少なくとも一つの圧縮チャンバーが、前記プレートによって両側部において閉じられた前記枠部の開口部によって形成されるように、
−  前記頂部プレートと前記弾性プレートとの間
−  前記底部プレートと前記弾性プレートとの間
−  前記スタック内に配置された前記弾性プレート二つの間
のうちの少なくとも一つの間を気密に接続して前記少なくとも一つの枠部が配置され、
前記圧縮チャンバーが、前記ガスインレットチャンネルから前記圧縮チャンバーまで接続された圧チャンネルによって前記インレットガスと流体的に連通しており、
ここで、前記圧縮チャンバーの断面積が、前記セルの電気化学的活性領域に実質的に相当する、上記の圧縮配置。
２．  前記セルスタックが、固体酸化物形燃料電池スタック又は固体酸化物形電解質セルスタックである、上記の１に記載のセルスタックのための圧縮配置。
３．  前記インレットガスがカソードガスである、上記の１又は２に記載のセルスタックのための圧縮配置。
４．  前記インレットガスがアノードガスである、上記の１又は２に記載のセルスタックのための圧縮配置。
５．  前記圧縮配置が、該圧縮配置の各側部に実質的に同数配置されたセルを有する該スタックの中央に配置される、上記の１〜４のいずれか一つに記載のセルスタックのための圧縮配置。
６．  前記圧縮配置が、該圧縮配置の一方の側に配置されたセルと、他方の側に配置されたセルとでは数が異なるセルを有するスタック内に配置される、上記の１〜４のいずれか一つに記載のセルスタックのための圧縮配置。
７．  第一の圧縮配置が前記スタックの頂部に配置され、第一の圧縮チャンバーが前記頂部プレート及び第一の弾性プレートによって両側を閉じられた第一の枠部の開口部によって形成され、そして第二の圧縮配置が前記スタックの底部に配置され、第二の圧縮チャンバーが前記底部プレート及び第二の弾性プレートによって両側が閉じられた第二の枠部の開口部によって形成される、上記の１〜４のいずれか一つに記載のセルスタックのための圧縮配置。
８．  第一の圧縮配置が前記スタックの頂部に配置され、第一の圧縮チャンバーが前記頂部プレート及び第一の弾性プレートによって両側を閉じられた第一の枠部の開口部によって形成され、そして第二の圧縮配置が前記スタックの底部に配置され、第二の圧縮チャンバーが前記底部プレート及び第二の弾性プレートによって両側が閉じられた第二の枠部の開口部によって形成され、そして一つ又はより多くの更なる圧縮配置が、更なる弾性プレートによって両側を閉じられた一つ又はより多くの更なる枠部の開口部によって形成された圧縮チャンバーを有する前記スタック内部に配置される、上記の１〜４のいずれか一つに記載のセルスタックのための圧縮配置。
９．  前記ガスアウトレットチャンネルにおける圧力と比較した前記圧縮チャンバーにおける過圧が、２０〜１０００ミリバール、好ましくは４０〜５００ミリバール、特に好ましくは６０〜３００ミリバールである、上記の１〜８のいずれか一つに記載のセルスタックのための圧縮配置。
１０．  請求項１〜９のいずれか一つに記載の圧縮配置を含む、固体酸化物形燃料電池スタック又は固体酸化物形電解質セルスタック。
【手続補正４】
【補正対象書類名】特許請求の範囲
【補正対象項目名】請求項１１
【補正方法】変更
【補正の内容】
【請求項１１】
請求項１〜１０のいずれか一つに記載の圧縮配置を含む、固体酸化物形燃料電池スタック又は固体酸化物形電解質セルスタック。
【誤訳訂正書】
【提出日】平成24年1月16日(2012.1.16)
【誤訳訂正１】
【訂正対象書類名】明細書
【訂正対象項目名】０１０３
【訂正方法】変更
【訂正の内容】
【０１０３】
であるか、又は式（II）において、基Ｒ7及びＲ8若しくは基Ｒ8及びＲ11は、それらが結合している炭素原子と一緒になってベンゾ環を形成し、
Ｒ12及びＲ13は、それぞれ互いに独立して、非置換又はＣ1−Ｃ4アルキル置換フェニレン若しくはナフチレンであり、
Ｒ14は、水素又はＣ1−Ｃ8アルキルであり、
Ｒ15は、ヒドロキシ、下記式：
【誤訳訂正２】
【訂正対象書類名】明細書
【訂正対象項目名】０２４３
【訂正方法】変更
【訂正の内容】
【０２４３】
【化７３】
2003516435.tif 000001
の混合物である。
組成物１０１は、下記式：
【化７４】
2003516435.tif 000002
である。
組成物１０２は、ビス（１−オキシ−２，２，６，６−テトラメチルピペリジン−４−イル）セバカート（Prostab（登録商標）5415、Ciba Spezialitaten Chemie社製）。
【誤訳訂正書】
【提出日】平成24年2月27日(2012.2.27)
【誤訳訂正１】
【訂正対象書類名】明細書
【訂正対象項目名】００２３
【訂正方法】変更
【訂正の内容】
【００２３】
これらの等化器値によって個々の周波数領域が大きく減衰されて帯域制限が生じる。比較的高い周波数領域のエラーは、比較的低い周波数領域のエラーよりも大きな障害になるので、エラーの数があまりに多くてミューティングが必要となるまで、増加するエラーの数とともに、表されるオーディオ信号の高い周波数の帯域幅を段階的に狭くしていき、それとともに、前記狭くしたことに相応する数値の閾値でもって段階的に検出する。ここで、前記閾値はエラーの数と比較されるものである。比較的高い周波数領域および比較的低い周波数領域におけるエラーの分布は多かれ少なかれ同じであるが、高い周波数領域におけるエラーは、聴取の印象に格段に強く作用する。
【誤訳訂正２】
【訂正対象書類名】明細書
【訂正対象項目名】特許請求の範囲
【訂正方法】変更
【訂正の内容】
【特許請求の範囲】
【請求項１】  デジタルオーディオデータ復号化方法であって、
復号化のステップとして、デジタルオーディオデータ（１）のエラー検出（２）、逆量子化（３）およびフィルタリングが行われる形式のデジタルオーディオデータ復号化方法において、
前記エラー検出に基づき、前記デジタルオーディオデータのエラーカウントを求め、
該エラーカウントとあらかじめ設定される複数の閾値とを比較し、該エラーカウントがどの閾値を上回るかに依存して等化器値を決定し、ここで、前記エラーカウントの数が増加すると共に、ある周波数領域での検出すべき帯域幅を、前記周波数領域より低い周波数領域での検出すべき帯域幅より狭くしていく、
前記等化器値を用いて、前記オーディオデータのスペクトル的な形成を逆量子化中に行うことを特徴とする
デジタルオーディオデータ復号化方法。
【請求項２】  前記等化器値を記憶装置から呼び出す、
請求項１に記載の方法。
【請求項３】  前記等化器値を計算する、
請求項１に記載の方法。
【請求項４】  前記エラーカウントが最小の閾値を下回る場合、前記逆量子化に対して等化器値を使用しない、
請求項１に記載の方法。
【請求項５】  前記エラーカウントが最大の閾値を上回る場合、ミューティングを行う、
請求項１に記載の方法。
【請求項６】  符号化されたデジタルオーディオデータに対するエラー検出をフレーム毎または周波数領域毎に行う、
請求項１に記載の方法。
【誤訳訂正書】
【提出日】平成24年5月15日(2012.5.15)
【誤訳訂正１】
【訂正対象書類名】明細書
【訂正対象項目名】請求項１２
【訂正方法】変更
【訂正の内容】
【請求項１２】  前記結晶基板がタンタル酸リチウムを備えているところの、請求項１に記載の結晶基板を備えた装置。
【誤訳訂正２】
【訂正対象書類名】明細書
【訂正対象項目名】００３１
【訂正方法】変更
【訂正の内容】
【００３１】
図５Ｆに示めすように、パッケージ層４１０及びエポキシ層４０８は機械的にノッチがつけられ、その後図５Ｇに示めすように電気接点４１２及び一般的なバンプ４１４がその上に形成される。結果としてのアセンブリは図５Ｈに示めすようにさいの目に切断され、図５Ｉに示めすような複数の集積回路装置パッケージとなる。
前述の記載例すべてを通じて、結晶基板は、いずれの結晶基板としても適切なものであって、かつ例えばシリコン又はニオブ酸リチウム又はタンタル酸リチウム又は水晶で構成されていてもよいことは理解される。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
工業検査装置のハンドセット部であって、
ユーザに視覚情報を与えるためのディスプレイと、
ハンドセット部を動作させるための制御モジュールと、
ハンドセット部に電力を供給するための電池アセンブリと、
前記電池アセンブリを受け入れるためのハンドルと
を備え、
前記電池アセンブリが、
少なくとも１つの電池セルと、
前記少なくとも１つの電池セルを充電するための電池充電器を接続するためのコネクタと、
前記電池アセンブリについての情報を監視する、ハンドセット内のプロセッサと通信するための電池回路と、
前記電池アセンブリに残っている充電量の視覚的指示を行うための、前記電池回路に接続される前記電池アセンブリの表面上の電池充電指示器と
を備える、工業検査装置ハンドセット部。
【請求項２】
前記少なくとも１つの電池セルが、リチウムイオン電池である、請求項１記載の工業検査装置ハンドセット部。
【請求項３】
前記コネクタがＤＣコネクタである、請求項１記載の工業検査装置ハンドセット部。
【請求項４】
前記電池充電指示器が、メンブランスイッチを備える、請求項１記載の工業検査装置ハンドセット部。
【請求項５】
前記電池充電指示器が、前記電池アセンブリに残っている充電量の前記視覚的指示を行うための複数のＬＥＤを備える、請求項１記載の工業検査装置ハンドセット部。
【請求項６】
前記電池アセンブリがばねベースのラッチ部材をさらに備え、前記ばねベースのラッチ部材は、前記電池アセンブリを受け入れ、保持するためのハンドセット部のハンドルのばねベースの受け部材と連結するためのターンコネクタによって動作される、請求項１記載の工業検査装置ハンドセット部。
【請求項７】
前記電池アセンブリがシール部材をさらに備え、前記シール部材は、前記電池アセンブリを前記ハンドルに完全に挿入すると、ハンドセット部のハンドルとの密封状態を作り出す、請求項１記載の工業検査装置ハンドセット部。
【請求項８】
ベースユニットに接続されない、請求項１記載の工業検査装置ハンドセット部。
【請求項９】
工業用検査装置のハンドセット部の電力管理方法であって、
前記ハンドセット部に取り付けた挿入チューブ用のカメラ照明についての第１の最大電力出力値を設定するステップと、
前記ハンドセット部に取り付けた前記挿入チューブから画像を受信する撮像素子信号プロセッサを監視して、前記画像信号プロセッサのゲイン値が、所定のゲイン値未満であることを判定するステップと、
前記画像信号プロセッサの前記ゲイン値を前記所定のゲイン値まで増大させるために、前記カメラ照明についての、前記第１の最大電力出力値未満である第２の最大電力出力値を設定するステップと
を含む方法。
【請求項１０】
前記ハンドセットは、ベースユニットに接続されず、前記ハンドセット部に電力を供給するための電池アセンブリを備える、請求項９記載の工業用検査装置のハンドセット部の電力管理方法。
【請求項１１】
工業用検査装置のハンドセット部の電力管理方法において、
前記ハンドセット部に取り付けた挿入チューブの関節動作についての第１の最大電力出力値を設定するステップであって、前記挿入チューブの移動を複数のアクチュエータによって行うステップと、
オペレータコントロール部を監視して、第１の所定時間の間に関節動作がなかったことを判定するステップと、
前記挿入チューブの位置を監視して、前記挿入チューブの位置が、所定の座標領域の外側にあることを判定するステップと、
前記挿入チューブを所定の位置に保持するのに十分な前記関節動作についての、前記第１の最大電力出力値未満である第２の最大電力出力値を設定するステップと
を含む方法。
【請求項１２】
前記ハンドセットは、ベースユニットに接続されず、前記ハンドセット部に電力を供給するための電池アセンブリを備える、請求項１１記載の工業用検査装置のハンドセット部の電力管理方法。
【請求項１３】
工業用検査装置のハンドセット部の電力管理方法において、
前記ハンドセット部に取り付けた挿入チューブの関節動作についての第１の最大電力出力値を設定するステップであって、前記挿入チューブの移動を複数のアクチュエータによって行うステップと、
オペレータコントロール部を監視して、第１の所定時間の間に関節動作がなかったことを判定するステップと、
前記挿入チューブの位置を監視して、前記挿入チューブの位置が、所定の座標領域の内側にあることを判定するステップと、
前記関節についての電力をオフにするステップと
を含む方法。
【請求項１４】
工業用検査装置のハンドセット部の電力管理方法であって、
前記ハンドセット部の、少なくとも１つのコンポーネントについての第１の最大電力出力値を設定するステップと、
前記ハンドセット部のオペレータコントロール部を監視して、第１の所定時間の間にユーザの入力がなかったことを判定するステップと、
前記ハンドセット部の前記少なくとも１つのコンポーネントについての、前記第１の最大電力出力値未満である第２の最大電力出力値を設定するステップと、
前記ハンドセット部のオペレータコントロール部を監視して、第２の所定時間の間にユーザの入力がなかったことを判定するステップと、
前記ハンドセット部の、少なくとも１つのコンポーネントをオフにするステップとを含む方法。
【請求項１５】
前記ハンドセット部のオペレータコントロール部を監視して、第３の所定時間の間にユーザの入力がなかったことを判定するステップと、
開いているデータファイルを閉じ、保存するステップと、
前記ハンドセット部をオフにするステップと
をさらに含む、請求項１４記載の工業用検査装置のハンドセット部の電力管理方法。
【手続補正書】
【提出日】平成23年11月14日(2011.11.14)
【手続補正１】
【補正対象書類名】明細書
【補正対象項目名】発明の名称
【補正方法】変更
【補正の内容】
【発明の名称】眼内移植片およびその搬送システム
【手続補正２】
【補正対象書類名】特許請求の範囲
【補正対象項目名】全文
【補正方法】変更
【補正の内容】
【特許請求の範囲】
【請求項１】
眼内移植片およびその搬送システムであって、
眼のシュレム管に挿入するのに適した構成の遠位出口ポートが設けられたカニューレと、
眼内移植片と、
前記眼内移植片の内部に配備されて前記カニューレの内部を移植片と一緒に移動することができる担体と、
眼の外部から操作するのに適した構成であり、カニューレの前記遠位出口ポートが眼の中に位置するようになると担体および移植片のうち少なくとも一方を移動させるための近位制御部とを備えている、システム。
【請求項２】
前記眼内移植片には複数の開口が設けられており、前記担体は前記開口を閉鎖するような配向にされていることを特徴とする、請求項１に記載のシステム。
【請求項３】
前記眼内移植片および前記担体が一緒に遠位鈍端を設けていることを特徴とする、請求項１に記載のシステム。
【請求項４】
前記カニューレは円弧の形状を呈していることを特徴とする、請求項１に記載のシステム。
【請求項５】
前記カニューレは曲率半径が約２．５４ｍｍよりも小さいことを特徴とする、請求項４に記載のシステム。
【請求項６】
前記カニューレは遠位カッター部を更に備えていることを特徴とする、請求項１に記載のシステム。
【請求項７】
前記カニューレは直径が約0.７６２ｍｍよりも小さいことを特徴とする、請求項１に記載のシステム。
【請求項８】
前記担体には直径が増大された部分と直径が減じられた部分とが設けられており、前記眼内移植片は担体の直径が増大された部分と係合することを特徴とする、請求項１に記載のシステム。
【請求項９】
前記カニューレの内側に配備されて前記眼内移植片と係合し、前記近位制御部に作動可能な接続されている押込み部材を更に備えている、請求項８に記載のシステム。
【請求項１０】
前記押込み部材には、カニューレの前記出口ポートを抜けて進入させられている最中にも前記眼内移植片を保持したままであるのに適した構成の移植片嵌合機構が設けられていることを特徴とする、請求項９に記載のシステム。
【請求項１１】
前記眼内移植片は、担体の前記直径が増大された部分と前記移植片嵌合機構との間に配置されると移植片嵌合機構と係合状態となり、担体の前記直径が減じられた部分と前記移植片嵌合機構との間に配置されると移植片嵌合機構から切離されることを特徴とする、請求項１０に記載のシステム。
【請求項１２】
前記担体には、前記近位制御部の物質入口と導通している物質搬送管腔が設けられていることを特徴とする、請求項１に記載のシステム。
【請求項１３】
前記近位制御部は、前記カニューレに接続されている遠位操作部と担体移動用作動装置が設けられている近位操作部とを含んでおり、前記近位操作部および前記遠位操作部は互いに相関的に移動自在であることを特徴とする、請求項１に記載のシステム。
【請求項１４】
前記近位操作部は移植片移動用作動装置を更に有していることを特徴とする、請求項１３に記載のシステム。
【請求項１５】
カニューレおよび近位制御部を備えている眼内移植片システムにおいて、
前記カニューレは、
移植片管腔と、
遠位出口ポートと、
前記遠位出口ポートの輪郭の少なくとも一部を画定している遠位カッター部と、
解剖学的肉体管腔の内部において前記遠位出口ポートが位置している一点で前記遠位カッター部が前記肉体管腔の中へ進入するのを抑制する係止部材とを有しており、
前記近位制御部は、カニューレの前記遠位出口ポートが眼の中に在る時に眼の外部から操作されるのに適した構成である、システム。
【請求項１６】
前記カニューレは円弧の形状を呈していることを特徴とする、請求項１５に記載のシステム。
【請求項１７】
前記カニューレは曲率半径が0.1インチよりも小さいことを特徴とする、請求項１６に記載のシステム。
【請求項１８】
前記カッター部はその切開刃が前記カニューレの中心軸線に対して角度付けされていることを特徴とする、請求項１５に記載のシステム。
【請求項１９】
前記切開刃は前記中心軸線に対して約10度から約80度の角度を成していることを特徴とする、請求項１８に記載のシステム。
【請求項２０】
前記係止部材は前記切開刃の近位側の部分に配置されていることを特徴とする、請求項１８に記載のシステム。
【請求項２１】
前記カニューレは直径が約0.03インチよりも小さいことを特徴とする、請求項１５に記載のシステム。
【請求項２２】
前記カニューレの内部に配備されているとともに眼内移植片を担荷支持するのに適した構成であり、尚且つ、前記出口ポートを通り抜ける寸法に設定されている担体を更に備えている、請求項１５に記載のシステム。
【請求項２３】
前記担体と嵌合状態になる眼内移植片を更に備えている、請求項２２に記載のシステム。
【請求項２４】
前記担体は残余よりも直径が大きい部分とそこより直径が小さい部分から構成されており、前記眼内移植片は担体の大きい方の直径部分と嵌合するようになっている、請求項２３に記載のシステム。
【請求項２５】
前記担体には物質搬送管腔が設けられていることを特徴とする、請求項２２に記載のシステム。
【請求項２６】
前記カニューレの内部に配備されて前記眼内移植片と嵌合状態になり、尚且つ、近位制御部に作動可能に接続されている押込み部材を更に備えている、請求項１５に記載のシステム。
【請求項２７】
前記押込み部材は、前記カニューレの前記出口ポートを通り抜けて前進している最中も眼内移植片を保持したままであるのに適した構成の移植片嵌合機構を備えていることを特徴とする、請求項２６に記載のシステム。
【請求項２８】
前記近位制御部は前記カニューレに接続されている遠位操作部と、担体移動用作動装置が設けられた近位操作部とを有しており、前記近位操作部と遠位操作部は互いに相関的に移動自在であることを特徴とする、請求項１５に記載のシステム。
【請求項２９】
前記近位操作部は移植片移動用作動装置を更に備えていることを特徴とする、請求項２８に記載のシステム。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
ゴルフクラブ、またはグリップ領域を有すると共に使用時に動作させられるその他の用具用のフェアリングであって、前記フェアリングは、前記クラブのスイング動作または前記用具の動作中の、前記シャフトに関連する抵抗を低減するために前記ゴルフクラブまたは用具のシャフトに対して取り付け可能であり、取り付け状態では、前記フェアリングは、前記クラブまたは用具が通常保持される前記グリップ領域から離れた前記クラブまたは用具の端部近傍位置から、前記シャフトの一部に沿って、延在することを特徴とするフェアリング。
【請求項２】
前記フェアリングは前記シャフトに対して取り外しできないように取り付けられることを特徴とする請求項１に記載のフェアリング。
【請求項３】
前記フェアリングは前記シャフトに対して取り外しできるように取り付け可能であることを特徴とする請求項１に記載のフェアリング。
【請求項４】
前記フェアリングは、前記ヘッドに隣接して前記シャフトに取り付け可能であることを特徴とする請求項１に記載のフェアリング。
【請求項５】
前記フェアリングは前記シャフトに対してスイベル機構によって取り付け可能であり、これによって前記フェアリングは前記シャフトに対して回動となっていることを特徴とする請求項１に記載のフェアリング。
【請求項６】
いったん前記フェアリングが所望のポジションへと動くと、前記フェアリングはこのポジションでロック可能であることを特徴とする請求項５に記載のフェアリング。
【請求項７】
前記フェアリングは、エーロフォイルの形態である本体を具備してなることを特徴とする請求項１に記載のフェアリング。
【請求項８】
前記フェアリングは、それ自身に設けられた孔、オリフィスまたは凹凸の一つ以上を有し、これは、空気がその中をまたはその上を通過するときに音を発生させるようになっていることを特徴とする請求項１に記載のフェアリング。
【請求項９】
ゴルフクラブまたは用具であって、
グリップ領域と、
ヘッドと、
前記グリップ領域を前記ヘッドに対して接続するシャフトと、
前記クラブのスイング動作中または前記用具の動作中の前記シャフトに関連する抵抗を低減するために前記シャフトに対して取り付けられるフェアリングと、
を具備してなり、
前記フェアリングは、前記クラブまたは用具の前記ヘッド近傍の位置から前記シャフトの一部に沿って延在するようになっていることを特徴とするゴルフクラブまたは用具。
【請求項１０】
ゴルフクラブまたは用具であって、
グリップ領域と、
ヘッドと、
前記グリップ領域を前記ヘッドに対して接続するシャフトと、
前記クラブのスイング動作中または前記用具の動作中の前記シャフトに関連する抵抗を低減するために前記シャフトに対して取り付けられる抵抗低減手段と、
を具備してなり、
前記抵抗低減手段は、前記クラブまたは用具の前記ヘッド近傍の位置から前記シャフトの一部に沿って延在するようになっていることを特徴とするゴルフクラブまたは用具。
【請求項１１】
前記抵抗低減手段はフェアリングを具備してなることを特徴とする請求項１０に記載のゴルフクラブまたは用具。
【請求項１２】
前記シャフトは、当該シャフトの残部に対して、より大きな断面幅あるいは直径を有する領域を有することを特徴とする請求項９に記載のゴルフクラブまたは用具。
【請求項１３】
前記シャフトの一部、大部分または全体はエーロフォイルの形態であることを特徴とする請求項９に記載のゴルフクラブまたは用具。
【請求項１４】
前記シャフト、ヘッドおよび／またはフェアリングの少なくとも一部は、少なくとも当該部分にわたって空気流を変える表面処理部を有することを特徴とする請求項９に記載のゴルフクラブまたは用具。
【請求項１５】
前記表面処理部は、前記部分の表面に形成されたディンプリングを具備してなることを特徴とする請求項１４に記載のゴルフクラブまたは用具。
【請求項１６】
前記ヘッドの上面は、当該ヘッドの下面の上の少なくとも一つの空気流路よりも短い少なくとも一つの空気流路を提供するようになっていることを特徴とする請求項９に記載のゴルフクラブまたは用具。
【請求項１７】
前記フェアリングは前記ヘッドに隣接して前記シャフトに対して取り付けられ、かつ、前記シャフトの長さの半分よりも短い長さにわたって前記ヘッドから離れるように前記シャフトに沿って延在していることを特徴とする請求項９に記載のゴルフクラブ。
【請求項１８】
前記フェアリングは、前記シャフトの長さの約三分の一あるいはそれ未満の長さにわたって前記ヘッドから前記シャフトに沿って延在していることを特徴とする請求項１７に記載のゴルフクラブ。
【請求項１９】
前記フェアリングは、前記シャフトの直径と実質的に等しいか、あるいはそれよりも僅かに小さな最大厚みを有することを特徴とする請求項９に記載のゴルフクラブ。
【請求項２０】
前記フェアリングは前記シャフトから離間させられていることを特徴とする請求項９に記載のゴルフクラブ。
【請求項２１】
前記フェアリングの幅は、それが、前記クラブの前記ヘッドよりも遠方に、前記シャフトから後方に延在するようなものであることを特徴とする請求項９に記載のゴルフクラブ。
【請求項２２】
前記フェアリングは、その下側端部から、前記ヘッドから離れた上側端部へと、幅が減少することを特徴とする請求項９に記載のゴルフクラブ。
【請求項２３】
前記フェアリングの幅は、その下側端部から、前記ヘッドの遠位にある上側端部へと、前記フェアリングの長さの一部あるいは全体にわたって先細になっていることを特徴とする請求項２２に記載のゴルフクラブ。
【請求項２４】
前記クラブのスイング動作中に前記フェアリングが前記シャフトに対して自由に動けるように、前記フェアリングが前記シャフトに対して動くことができるように構成されていることを特徴とする請求項９に記載のゴルフクラブ。
【請求項２５】
前記フェアリングは、少なくとも二つのポジション間で前記シャフトに対して動くことができるように構成されていることを特徴とする請求項９に記載のゴルフクラブ。
【請求項２６】
前記フェアリングは、断面に関して翼あるいはブレード形状である本体を具備してなることを特徴とする請求項９に記載のゴルフクラブ。
【請求項２７】
前記用具は、パドル、オール、野球バット、クリケットバット、テニスラケット、卓球ラケット、あるいはハンマーであることを特徴とする請求項９に記載のゴルフクラブまたは用具。
【請求項２８】
前記フェアリングは前記シャフトに沿った軸線方向に移動可能であることを特徴とする請求項１に記載のフェアリング。
【手続補正書】
【提出日】平成23年12月8日(2011.12.8)
【手続補正１】
【補正対象書類名】明細書
【補正対象項目名】０００６
【補正方法】変更
【補正の内容】
【０００６】
最後に、欧州特許出願公開第１８６２２０８（Ａ１）号明細書では、玄武岩ファイバを含む裏地を有するろ過媒体について開示している。そこでは、裏地の少なくとも一面には高分子ステープルファイバが設けられているとしている。

【手続補正２】
【補正対象書類名】明細書
【補正対象項目名】０００９
【補正方法】変更
【補正の内容】
【０００９】
これに関連して、驚くことに、ろ過媒体へのステープルファイバの塗膜が非常に僅かな場合であってもステープルファイバは織布から剥離されず、よって、繊維複合体自体が剥離されないことを見出した。欧州特許出願公開第０３９１６６０（Ａ１）号では、ステープルファイバが、６７８ｇ／ｍ２〜８８１ｇ／ｍ２の非常に高い単位面積当たりの重量範囲を既に有していると認められ、その結果、ステープルファイバが強く固定されて、織布から解れるリスクをなくしている故に、欧州特許出願公開第０３９１６６０（Ａ１）号による積層ろ過材を使うと、上記問題は起こらないとしている。
【手続補正３】
【補正対象書類名】明細書
【補正対象項目名】００１０
【補正方法】変更
【補正の内容】
【００１０】
さらに、膜を織布に積層することを、繊維複合体を織布に更に固定することに変えている。この場合、高い重量百分率にある高分子ステープルファイバを有する積層ろ過材では、織布が事実上ファイバで被覆されている故に、上記有利な効果を奏することができない。
【手続補正４】
【補正対象書類名】明細書
【補正対象項目名】００２２
【補正方法】変更
【補正の内容】
【００２２】
十分な強度を織布構造に分け与えるために、製織技術の手段によって、縦糸及び横糸は、織って接する様々なクロス点において接合される。さらに、平織り又は綾織りも、もじり織りも可能である。玄武岩糸及び／又はガラスファイバから織布を作るために、様々な製織技術及び布地厚さが用いられる。
【手続補正書】
【提出日】平成23年11月16日(2011.11.16)
【手続補正１】
【補正対象書類名】明細書
【補正対象項目名】００７２
【補正方法】変更
【補正の内容】
【００７２】
さらなる実施形態においては、ハウジング３０２が、ハウジング３０２の切り抜き部で形成された漸進式シール３５８（図１５）を備えている。漸進式シール３５８は、出口コネクタポート３０８と外気（すなわち、呼気ポート３１０を介する）との間の即座のシールを防止するために、先細りにされている。すなわち、シール３５８の開口のサイズが、ベンチュリアセンブリ３３０が内側シール面３３８に近付くにつれて減少する。このようにして、出口コネクタポート３０８と外気との間のシールが、緩やかに生じる。
【手続補正２】
【補正対象書類名】特許請求の範囲
【補正対象項目名】請求項１９
【補正方法】変更
【補正の内容】
【請求項１９】
患者へと呼吸治療をもたらすための方法であって、
・ハウジングの入口ポートへと加圧ガスの流れをもたらすステップ、
・前記ハウジングの取り込みポートから外気を引き込むステップ、
・前記ハウジングの内部に配置されたジェットポンプを使用して、前記加圧ガスの流れを前記外気と混合するステップ、
・混合後の空気を前記ジェットポンプからネブライザへともたらすステップ、
・前記ネブライザを使用して前記ガスの流れへと薬剤を導入するステップ、および
・薬剤入りのガスの流れをもたらすステップ
を含んでいる方法。
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
地糸及び、ポリプロピレン、ポリエステル、及びポリスチレンから選択される疎水性ニットデニット糸を含む払拭部材であって、前記地糸及び前記疎水性ニットデニット糸が共に編成されて、前記疎水性ニットデニット糸のパイルを形成する、払拭部材。
【請求項２】
ポリプロピレン、ポリエステル、及びポリスチレンから選択されるプラスチックフィルムである平糸を更に含み、前記平糸が前記地糸に編成されてパイルを形成する、請求項１に記載の払拭部材。
【請求項３】
請求項１又は２に記載の払拭部材及び該払拭部材に積層され、かつ払拭部材の袋内に収容される吸水部材を備える、清掃用具。
【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
触媒組成物を再生する方法であって、当該触媒組成物がモレキュラーシーブおよび０．２６〜５の範囲のＣ／Ｈモル比を有する少なくとも１０重量％のコークを含んでおり、
ａ． 当該触媒組成物を、酸素および水を有する第一の酸化性媒体に、当該触媒組成物よりも少なくとも５０重量％少ないコークを有する第一の再生された触媒組成物を形成するのに十分な第一の条件において接触させる段階、そして次に
ｂ． 当該第一の再生された触媒組成物の少なくとも一部を、酸素および任意的な水を有する第二の酸化性媒体に、当該第一の再生された触媒組成物よりも少なくとも５０重量％少ないコークを有する第二の再生された触媒組成物を形成するのに十分な第二の条件において接触させる段階
を含み、段階（ａ）における当該触媒組成物および段階（ｂ）における当該第一の再生された触媒組成物が、当該第二の再生された触媒組成物の１重量当たり１〜５０の重量の水の範囲にある水の合計量との接触を済ませた方法。
【請求項２】
当該モレキュラーシーブが、Ｍ４１Ｓ族モレキュラーシーブ、ＭＣＭ−２２族モレキュラーシーブ、ＥＴＳ−１０、ＥＴＡＳ−１０、ＥＴＧＳ−１０、ならびにＡＢＷ、ＡＥＴ、ＡＦＧ、ＡＦＩ、ＡＦＸ、ＡＮＡ、ＡＳＴ、ＡＳＶ、ＢＣＴ、＊ＢＥＡ、ＢＥＣ、ＢＩＫ、ＢＯＧ、ＢＰＨ、ＢＲＥ、ＣＡＮ、ＣＡＳ、ＣＤＯ、ＣＦＩ、ＣＧＳ、ＣＨＡ、−ＣＨＩ、ＣＯＮ、ＤＡＣ、ＤＤＲ、ＤＦＴ、ＤＯＨ、ＤＯＮ、ＥＡＢ、ＥＤＩ、ＥＭＴ、ＥＯＮ、ＥＰＩ、ＥＲＩ、ＥＳＶ、ＥＴＲ、ＥＵＯ、ＥＺＴ、ＦＡＲ、ＦＡＵ、ＦＥＲ、ＦＲＡ、ＧＩＳ、ＧＩＵ、ＧＭＥ、ＧＯＮ、ＧＯＯ、ＨＥＵ、ＩＦＲ、ＩＨＷ、ＩＭＦ、ＩＳＶ、ＩＴＥ、ＩＴＨ、ＩＴＷ、ＩＷＲ、ＩＷＶ、ＩＷＷ、ＪＢＷ、ＫＦＩ、ＬＡＵ、ＬＥＶ、ＬＩＯ、−ＬＩＴ、ＬＯＳ、ＬＯＶ、ＬＴＡ、ＬＴＬ、ＬＴＮ、ＭＡＲ、ＭＡＺ、ＭＥＩ、ＭＥＬ、ＭＥＰ、ＭＥＲ、ＭＦＩ、ＭＦＳ、ＭＯＮ、ＭＯＲ、ＭＯＺ、ＭＳＥ、ＭＳＯ、ＭＴＦ、ＭＴＮ、ＭＴＴ、ＭＴＷ、ＭＷＷ、ＮＡＢ、ＮＡＴ、ＮＥＳ、ＮＯＮ、ＮＰＯ、ＮＳＩ、ＯＢＷ、ＯＦＦ、ＯＳＯ、ＯＷＥ、−ＰＡＲ、ＰＡＵ、ＰＨＩ、ＰＯＮ、ＲＨＯ、−ＲＯＮ、ＲＲＯ、ＲＳＮ、ＲＴＥ、ＲＴＨ、ＲＵＴ、ＲＷＲ、ＲＷＹ、ＳＦＥ、ＳＦＦ、ＳＦＧ、ＳＦＨ、ＳＦＮ、ＳＦＯ、ＳＧＴ、ＳＩＶ、ＳＯＤ、ＳＯＳ、ＳＳＹ、ＳＴＦ、ＳＴＩ、ＳＴＴ、ＳＺＲ、ＴＥＲ、ＴＨＯ、ＴＯＬ、ＴＯＮ、ＴＳＣ、ＴＵＮ、ＵＥＩ、ＵＦＩ、ＵＯＺ、ＵＳＩ、ＵＴＬ、ＶＥＴ、ＶＮＩ、ＶＳＶ、−ＷＥＮ、およびＹＵＧのうちの少なくとも１を含んでいるゼオライト骨格タイプを有するモレキュラーシーブのうちの少なくとも１を含んでいる、請求項１に記載された方法。
【請求項３】
当該コークが、１．５〜３．３の範囲のＣ／Ｈモル比を有し、かつ段階（ａ）における当該触媒組成物および段階（ｂ）における当該第一の再生された触媒組成物が、当該第二の再生された触媒組成物の１重量当たり１０〜５０の重量の水の範囲にある水の合計量との接触を済ませた、請求項１に記載された方法。
【請求項４】
当該触媒組成物が２０〜５０重量％のコークを含んでおり、かつ当該触媒組成物が、コークを除いた当該触媒組成物の合計重量基準で少なくとも５０重量％の、ＭＴＷのゼオライト骨格タイプを有するモレキュラーシーブを含んでいる、請求項１に記載された方法。
【請求項５】
当該触媒組成物が、コークを除いた当該触媒組成物の合計重量基準で０．０１〜１０重量％の、６〜１０族の金属元素のうちの少なくとも１を含んでいる、請求項１に記載された方法。
【請求項６】
当該金属元素が、Ｐｔ、Ｒｅ、Ｉｒ、およびＰｄのうちの少なくとも１である、請求項５に記載された方法。
【請求項７】
当該第一の条件が、２５０〜４２５℃の範囲の温度、１００〜２０７０ｋＰａ（絶対圧）の範囲の圧力、０．１〜１０Ｎｍ３／時／触媒組成物ｋｇの範囲のガス流量、および７〜２０７ｋＰａ（絶対圧）の範囲の水分圧を含む、請求項１に記載された方法。
【請求項８】
当該第二の条件が、３５０〜５００℃の範囲の温度、１００〜２０７０ｋＰａ（絶対圧）の範囲の圧力、０．１〜１０Ｎｍ３／時／触媒組成物ｋｇの範囲のガス流量、および３〜３５ｋＰａ（絶対圧）の範囲の水分圧を含む、請求項１に記載された方法。
【請求項９】
当該第二の条件が、当該第一の再生された触媒組成物上の当該コークの量を少なくとも８０重量％低減するのに十分な再生時間をさらに含む、請求項７または８に記載された方法。
【請求項１０】
当該第二の再生された触媒組成物が、対応する未使用の触媒組成物の７０％〜１２０％の範囲のトランスアルキル化活性を有し、当該トランスアルキル化活性が、Ｃ６およびＣ７芳香族炭化水素とのトランスアルキル化条件下におけるＣ９およびＣ１０芳香族炭化水素の転化率を測定することによって測定され、典型的なトランスアルキル化条件が３７５〜５００℃の範囲の温度、１５００ｋＰａ（絶対圧）〜３５００ｋＰａ（絶対圧）の範囲の圧力、２〜２０の範囲のＷＨＳＶおよび１〜１０の範囲のＨ２：ＨＣ比を含む、請求項３に記載された方法。
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
ガス入口ポートを含むノズル本体と、
前記ノズル本体に装着されるエアキャップであって、前記ノズル本体と前記エアキャップとの間に配置されるチャンバを介して前記ガス入口ポートと流体連通する排出オリフィスを含むエアキャップと、
超音波ドライバ及び噴霧ステムを含む超音波噴霧器であって、前記噴霧ステムは前記超音波ドライバからの軸線に沿って延び、前記噴霧ステムは噴霧面で終端し、前記噴霧ステムは液体を前記噴霧面へ方向付ける液体通路を設ける、超音波噴霧器と、
を備え、
前記超音波ドライバは、前記噴霧面を振動させ、前記噴霧面に方向付けられた液体を、前記噴霧面近傍において細かい液体粒子からなる方向性のない液滴群状態で噴霧するように電気的に作動し、
前記エアキャップは、前記軸線の周りで回転旋回方向に加圧ガスを方向付け、前記細かい粒子液滴群を円錐形状スプレーパターン形状に形成し、該液滴を前方に推進する、ノズルアセンブリ。
【請求項２】
前記エアキャップはチャンバを画成し、前記噴霧ステムが、前記チャンバが前記噴霧ステムの周囲で環状に延びるように前記チャンバのほぼ中心を貫通して延び、前記エアキャップは、加圧ガスを前記チャンバに方向づけ前記噴霧ステムの周りで回転させる、請求項１に記載のノズルアセンブリ。
【請求項３】
前記第１のチャンバを環状に取り囲む第２のチャンバと、前記第１のチャンバと前記外側の第２のチャンバとの間に設けられて前記第１のチャンバを前記第２のチャンバからほぼ分離するリング状ディスクと、を更に備え、前記ディスクが、該ディスク中に配置される少なくとも１つのチャンネルを含み、前記チャンネルが、前記第２のチャンバと前記第１のチャンバとの間の連通を果たす、請求項２に記載のノズルアセンブリ。
【請求項４】
前記チャンネルが略接線方向態様で前記内側の第１のチャンバと交差する請求項３に記載のノズルアセンブリ。
【請求項５】
前記ディスクが複数のフィンを含み、前記少なくとも１つのチャンネルが２つのフィン間にある請求項４に記載のノズルアセンブリ。
【請求項６】
前記フィンのそれぞれが収束様態で形成されており、前記少なくとも１つのチャンネルが前記外側の第２のチャンバから前記内側の第１のチャンバへと進むにつれて、前記少なくとも１つのチャンネルが、減少する断面積を有するようになっている、請求項５に記載のノズルアセンブリ。
【請求項７】
超音波噴霧器と、ノズル本体と、エアキャップと、回転変向部材とを備える、空気の補助を伴う超音波噴霧ノズルアセンブリであって、
前記超音波噴霧器は、超音波ドライバと、前記超音波ドライバから軸線に沿って延びる噴霧ステムとを含み、前記噴霧ステムが噴霧面で終端し、前記噴霧ステムが液体を前記噴霧面へと方向付けるための液体通路を備え、
前記ノズル本体は、前記超音波噴霧器を受けるための孔を含み、前記孔は、前記噴霧ステムが前記ノズル本体から前方へ延びるように前記超音波噴霧器を受け、前記超音波ドライバは、前記噴霧面を振動させ、前記噴霧面に方向付けられた液体を、前記噴霧面近傍において細かい液体粒子からなる方向性のない液滴群状態で噴霧するように電気的に作動し、前記ノズル本体はガス入口ポートを更に含み、
前記エアキャップは、前記ノズル本体の前方に装着され、前記エアキャップは、前記噴霧ステムが挿入されて受けられる排出オリフィスを含み、前記排出オリフィスおよび前記噴霧ステムが前記第１のガス入口ポートと連通する環形状の隙間を形成しており、
回転変向部材は、中心開口を有し、前記噴霧ステムが前記中心開口を貫通して延びて環状チャンバを形成するように前記回転変向部材は前記ノズル本体と前記エアキャップとの間に配置され、前記回転変向部材は、該回転変向部材の外側周面から該回転変向部材の内側周面へ向けて前記軸線に対して角度を成して配置される少なくとも１つのチャンネルを更に含み、
前記ガス入口ポートへ導入される加圧ガスが前記少なくとも１つのチャンネルによって前記環状チャンバへと方向付けられ、前記加圧ガスが前記環状チャンバによって前記噴霧ステム周りで回転され、前記回転する加圧ガスが前記排出オリフィスによって前記噴霧面へと更に方向付けられ、前記細かい液体粒子からなる方向性のない液滴群を円錐形状に形成し、該液滴群を前記ノズルの前方に方向付けるようになっている、超音波噴霧ノズルアセンブリ。
【請求項８】
液体を霧化して噴射する方法であって、
噴霧面で終端する噴霧ステムを含む超音波噴霧器を設けるステップと、
前記噴霧ステムによって形成される液体通路を介して液体を前記噴霧面へと方向付けるステップと、
前記噴霧面を振動させ前記噴霧面近傍において細かい液体粒子からなる方向性のない液滴群を形成することによって、液体を前記噴霧面で超音波噴霧するステップと、
前記噴霧ステムの周囲でほぼ延びる環状チャンバによってガスを方向付けて回転旋回させるステップと、
前記液体粒子の液滴群を円錐形状スプレーパターン形状に形成し、該液滴を前方に推進するために、前記回転するガスを前記噴霧面近傍の排出オリフィスを介して前記噴霧面へと方向付けるステップと、
を備える方法。
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
物質を堆積する方法であって、
エアロゾル流を形成するように前記物質をエアロゾル化するステップと、
第１シースガス流で前記エアロゾル流を囲んで、第１混合流を形成するステップと、
第２シースガス流で前記第１混合流を囲んで、第２混合流を形成するステップと、
前記第２混合流を少なくとも１つの出口細管に通過させるステップと、
前記物質を堆積するステップと、を含む方法。
【請求項２】
堆積された前記物質のライン幅は約１０ミクロンと約１ミリメータとの間であることを特徴とする請求項１に記載の方法。
【請求項３】
物質を堆積する方法であって、
エアロゾル流を形成するように前記物質をエアロゾル化するステップと、
第１シースガス流で前記エアロゾル流を囲んで、第１混合流を形成するステップと、
前記第１混合流を中間細管に通過させるステップと、
第２シースガス流で前記第１混合流を続いて囲んで、第２混合流を形成するステップと、
前記第２混合流を少なくとも１つの出口細管に通過させるステップと、
前記物質を堆積するステップと、を含む方法。
【請求項４】
堆積された前記物質のライン幅は約１０ミクロンよりも小さいことを特徴とする請求項３に記載の方法。
【請求項５】
前記ライン幅は約１ミクロンよりも小さいことを特徴とする請求項４に記載の方法。
【請求項６】
前記各細管のオリフィス径は約５０ミクロンと約１ミリメータとの間であることを特徴とする請求項３に記載の方法。
【請求項７】
堆積された物質のライン幅は前記細管のオリフィスの大きさの約４０分の１未満であることを特徴とする請求項３に記載の方法。
【請求項８】
前記エアロゾル流が前記出口細管を通過することを防止するように、排気バルブを開くステップをさらに備えることを特徴とする請求項１に記載の方法。
【請求項９】
物質を堆積させるための装置であって、
エアロゾル注入口と、
第１シースガス注入口と、
第２シースガス注入口と、
少なくとも１つの出口細管と、を備えることを特徴とする装置。
【請求項１０】
物質を堆積させるための装置であって、
エアロゾル注入口と、
第１シースガス注入口と、
第２シースガス注入口と、
前記第１シースガス注入口と前記第２シースガス注入口との間に配置された中間細管と、
少なくとも１つの出口細管と、を備えることを特徴とする請求項９に記載の装置。
【請求項１１】
前記出口細管と前記中間細管との間の距離は可変であることを特徴とする請求項１０に記載の装置。
【請求項１２】
前記各細管のオリフィス径は約５０ミクロンと約１ミリメータとの間であることを特徴とする請求項１０に記載の装置。
【請求項１３】
堆積された前記物質のライン幅は前記細管のオリフィスの大きさの約４０分の１未満であることを特徴とする請求項１０に記載の装置。
【請求項１４】
前記出口細管のオリフィス径は前記中間細管のオリフィス径と同じであることを特徴とする請求項１０に記載の装置。
【請求項１５】
前記出口細管のオリフィス径は、前記中間細管のオリフィス径よりも小さいことを特徴とする請求項１０に記載の装置。
【請求項１６】
前記エアロゾル流が前記出口細管を通過することを防止するための排気バルブ又は真空多岐管をさらに備えることを特徴とする請求項１０に記載の装置。
【請求項１７】
前記出口細管を備える出口装置ステージは、前記中間細管を備える中間装置ステージに、１列に積み重ねられることを特徴とする請求項１０に記載の装置。
【請求項１８】
各細管のオリフィス径は、約５０ミクロンと約１ミリメートルの間であることを特徴とする請求項１に記載の方法。
【請求項１９】
堆積した物質の線幅は、細管のオリフィス径の４０分の１よりも小さいことを特徴とする請求項１に記載の方法。
【請求項２０】
前記エアロゾル流が前記出口細管を通過することを防ぐように、排気バルブを開けるステップをさらに含むことを特徴とする請求項３に記載の方法。
【請求項２１】
前記細管のオリフィス径が約５０ミクロンと約１ミリメートルの間であることを特徴とする請求項９に記載の装置。
【請求項２２】
堆積した物質の線幅は、細管のオリフィス径の４０分の１よりも小さいことを特徴とする請求項９に記載の装置。
【請求項２３】
前記エアロゾル流が前記出口細管を通過することを防ぐための、排気バルブ又は真空用多岐管をさらに備えることを特徴とする請求項９に記載の装置。
【手続補正書】
【提出日】平成23年11月18日(2011.11.18)
【手続補正１】
【補正対象書類名】明細書
【補正対象項目名】００４０
【補正方法】変更
【補正の内容】
【００４０】
「２’−Ｏ−メトキシエチル」（２’−ＭＯＥおよび２’−Ｏ（ＣＨ２）２−ＯＣＨ３ともいう）は、フラノシル環の２’位のＯ−メトキシ−エチル修飾を指す。２’−Ｏ−メトキシエチル修飾糖は修飾糖である。
【手続補正２】
【補正対象書類名】明細書
【補正対象項目名】００５６
【補正方法】変更
【補正の内容】
【００５６】
「二環式糖」とは、２つの非ジェミナル環原子の架橋によって修飾されたフラノシル環を意味する。二環式糖は修飾糖である。
【手続補正３】
【補正対象書類名】明細書
【補正対象項目名】０１８３
【補正方法】変更
【補正の内容】
【０１８３】
ある実施形態では、リボシル環を糖代替物で置き換えることによって、ヌクレオシドが修飾される。そのような修飾には、代用環系、例えばモルホリノ環、シクロヘキセニル環、シクロヘキシル環またはテトラヒドロピラニル環などによるリボシル環の置き換え（ＤＮＡ類似体という場合もある）が含まれるが、これらに限るわけではない。
【手続補正４】
【補正対象書類名】明細書
【補正対象項目名】０１８９
【補正方法】変更
【補正の内容】
【０１８９】
他の修飾核酸塩基には、５−ヒドロキシメチルシトシン、キサンチン、ヒポキサンチン、２−アミノアデニン、アデニンおよびグアニンの６−メチルおよび他のアルキル誘導体、アデニンおよびグアニンの２−プロピルおよび他のアルキル誘導体、２−チオウラシル、２−チオチミンおよび２−チオシトシン、５−ハロウラシルおよびシトシン、５−プロピニル（−Ｃ≡Ｃ−ＣＨ３）ウラシルおよびシトシン、ならびにピリミジン塩基の他のアルキニル誘導体、６−アゾウラシル、シトシンおよびチミン、５−ウラシル（プソイドウラシル）、４−チオウラシル、８−ハロ、８−アミノ、８−チオール、８−チオアルキル、８−ヒドロキシルおよび他の８−置換アデニンおよびグアニン、５−ハロ、特に５−ブロモ、５−トリフルオロメチルおよび他の５−置換ウラシルおよびシトシン、７−メチルグアニンおよび７−メチルアデニン、２−Ｆ−アデニン、２−アミノアデニン、８−アザグアニンおよび８−アザアデニン、７−デアザグアニンおよび７−デアザアデニン、ならびに３−デアザグアニンおよび３−デアザアデニンなどがある。
【手続補正５】
【補正対象書類名】明細書
【補正対象項目名】０２４１
【補正方法】変更
【補正の内容】
【０２４１】
ＲＮＡ分析
第９因子の定量リアルタイムＲＴ−ＰＣＲ分析のために、ＲＮＡを肝臓組織から抽出した。結果を、ＰＢＳ対照と比較した第９因子の阻害百分率として提示する。表８に示すように、ＩＳＩＳ４０２６１８による処置は６日目までにマウス第９因子ｍＲＮＡの８９％阻害をもたらし、その後、ＩＳＩＳ４０２６１８の効果は１２日目までに７３％まで低下した。これらのデータは、５０ｍｇ／ｋｇのＩＳＩＳ４０２６１８の単回投与のピーク効果が６日目付近で生じることを示している。
【表８】
2011502515.tif 000001
【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
それぞれが仕上期食用豚による摂取に対して許容されるタンパク質、炭水化物、無機質、ビタミンまたはアミノ酸のうち少なくとも１つ、及び、約３．５ｐｐｍから２０ｐｐｍ未満のアスタキサンチンを含む組成物。  
【請求項２】
前記タンパク質が植物由来である、請求項１に記載の組成物。
【請求項３】
前記炭水化物が植物由来である、請求項１又は２に記載の組成物。
【請求項４】
前記植物がトウモロコシである、請求項２または３に記載の組成物。
【請求項５】
前記植物が大豆である、請求項２または３に記載の組成物。
【請求項６】
前記タンパク質が動物由来である、請求項１に記載の組成物。
【請求項７】
前記タンパク質が酵母由来である、請求項１に記載の組成物。
【請求項８】
前記アスタキサンチンが合成物である、請求項１〜７のいずれか一項に記載の組成物。
【請求項９】
前記アスタキサンチンが植物細胞より入手される、請求項１〜７のいずれか一項に記載の組成物。
【請求項１０】
前記アスタキサンチンが細菌より入手される、請求項１〜７のいずれか一項に記載の組成物。
【請求項１１】
前記アスタキサンチンが酵母より入手される、請求項１〜７のいずれか一項に記載の組成物。
【請求項１２】
前記酵母がＰｈａｆｆｉａ  ｒｈｏｄｏｚｙｍａである、請求項１１に記載の組成物。
【請求項１３】
前記Ｐｈａｆｆｉａが酵母乾燥重量１ｇあたり少なくとも５００ｐｐｍのアスタキサンチンを含む、請求項１２に記載の組成物。
【請求項１４】
前記Ｐｈａｆｆｉａが酵母乾燥重量１ｇあたり少なくとも１０００ｐｐｍのアスタキサンチンを含む、請求項１３に記載の組成物。
【請求項１５】
前記Ｐｈａｆｆｉａが酵母乾燥重量１ｇあたり少なくとも１５００ｐｐｍのアスタキサンチンを含む、請求項１４に記載の組成物。
【請求項１６】
アスタキサンチン５〜１０ｐｐｍを含む、請求項１〜１５のいずれか一項に記載の組成物。
【請求項１７】
アスタキサンチン５ｐｐｍを含む、請求項１６に記載の組成物。
【請求項１８】
アスタキサンチン１０ｐｐｍを含む、請求項１６に記載の組成物。
【請求項１９】
乾燥酵母重量１ｇあたり少なくとも５００ｐｐｍのアスタキサンチンを、仕上期食用豚屠体パラメータを向上させる量で含む、Ｐｈａｆｆｉａ  ｒｈｏｄｏｚｙｍａより入手される分離アスタキサンチンを含む組成物。  
【請求項２０】
前記の量がアスタキサンチン５〜１０ｐｐｍである、請求項１９に記載の組成物。
【請求項２１】
前記の量がアスタキサンチン５ｐｐｍである、請求項２０に記載の組成物。
【請求項２２】
前記の量がアスタキサンチン１０ｐｐｍである、請求項２０に記載の組成物。
【請求項２３】
前記パラメータが第１肋骨の背脂の厚みである、請求項１９に記載の組成物。
【請求項２４】
前記パラメータが第１０肋骨の背脂の厚みである、請求項１９に記載の組成物。
【請求項２５】
前記パラメータが最終肋骨の背脂の厚みである、請求項１９に記載の組成物。
【請求項２６】
前記パラメータが無脂肪赤身肉の百分率である、請求項１９に記載の組成物。
【請求項２７】
前記パラメータがロース芯の色調である、請求項１９に記載の組成物。